(57)【要約】【課題】通帳記帳の待ち時間を解消し、取引時間外における予約記帳を実現すると共に、構成が簡単で、かつ、予約システムの運用が容易な方法を提供する。【解決手段】通帳Ｔの磁気データを読取り・書込みする磁気部３、印字データの読取り・書込みをする光学部４及び印字部５を含む通帳プリンタユニット１を備えた自動取引装置による通帳記帳の予約システムであって、該予約システムは、顧客の通帳Ｔが有効と判断された場合、該通帳の収納および発行をするスタック機構部７、該スタック機構部に収納された通帳の顧客に対して受付証を発行する受付証発行部９、予約受付されて前記スタック機構部に収納された予約通帳ＹＴの記帳処理を実行する記帳処理部１０、顧客の受付番号にしたがって所定の指定位置に順次関連付けられて収納された予約通帳を顧客に返却する通帳返却部１１を備え、予約受付された通帳の記帳処理を実行して前記予約通帳ＹＴを顧客に返却する。【選択図】図１
2012208717.tif 000002
【特許請求の範囲】
【請求項１】
通帳の磁気データを読取り・書込みする磁気部と、印字データの読取り・書込みをする光学部及び印字部とを含む通帳プリンタユニットを備えた自動取引装置による通帳記帳システムであって、挿入された通帳を収納する第１のスタック機構部と、該第１のスタック機構部に収納された通帳の顧客に対して受付番号を記載した受付証を発行する受付証発行部と、前記第１のスタック機構部に収納された通帳の記帳処理を実行する記帳処理部と、記帳処理が実行された通帳を受付番号にしたがって所定の指定位置にて収納する第２のスタック機構部と、入力された受付番号に該当する記帳済み通帳を前記第２のスタック機構部から取り出して該通帳を顧客に返却する通帳返却部と、を具備することを特徴とする自動取引装置による通帳記帳システム。
【請求項２】
前記第１及び２のスタック機構部は、複数の通帳を積層して収納するケースと、該ケースの下方から前記通帳を入搬出させる入搬出口と、該入搬出口から搬入された複数の通帳を水平に保持する可動ベースと、を備え、前記可動ベースを傾斜させることにより、前記ケースの下方から予約通帳を搬出させることを特徴とする、請求項１に記載の自動取引装置による通帳記帳システム。
【請求項３】
通帳の磁気データを読取り・書込みする磁気部と、印字データの読取り・書込みをする光学部及び印字部とを含む通帳プリンタユニットを備えた自動取引装置による通帳記帳システムであって、挿入された通帳を上方から搬入して収納するスタック機構部と、該スタック機構部に収納された通帳の顧客に対して受付番号を記載した受付証を発行する受付証発行部と、前記スタック機構部に収納された通帳の記帳処理を実行する記帳処理部と、記帳処理が実行された通帳を受付番号にしたがって所定の指定位置に収納された記帳済み通帳を前記スタック機構部から取り出して該通帳を顧客に返却する通帳返却部と、を具備することを特徴とする自動取引装置による通帳記帳システム。
【請求項４】
前記スタック機構部は、複数の通帳を積層して収納するケースと、該ケースの上方から通帳を搬入させる搬入口と、前記ケースに収納された予約通帳を下方から搬出させる搬出口と、前記搬入口から搬入された複数の通帳を水平に保持する可動ベースとを備え、前記可動ベースを傾斜させることにより、前記ケースの下方から予約通帳を搬出させることを特徴とする、請求項１に記載の自動取引装置による通帳記帳の予約システム。
【請求項５】
通帳の磁気データを読取り・書込みする磁気部と、印字データの読取り・書込みをする光学部及び印字部とを含む通帳プリンタユニットを備えた自動取引装置による通帳記帳方法であって、挿入された通帳を収納し、該収納された通帳の顧客に対して受付番号を記載した受付証を発行し、前記収納された通帳の記帳処理を実行し、入力された受付番号にしたがって前記記帳処理部が実行された通帳を顧客に返却することを特徴とする自動取引装置による通帳記帳方法。
【発明の詳細な説明】
【技術分野】
【０００１】
本発明は、自動取引装置による通帳記帳システム及び通帳記帳方法に関し、詳しくは、通帳の磁気データを読取り・書込みする磁気部と、印字データの読取り・書込みをする光学部及び印字部とを含む通帳プリンタユニットを備えた自動取引装置（ＡＴＭ）による通帳記帳システム及び通帳記帳方法に関する。
【背景技術】
【０００２】
特開２００３−１６５０３号公報には、通帳挿入口に挿入された通帳を、印字情報を読み取る光学センサ部および印字ヘッド部に搬送して取引明細を印字するとともに、前記記帳が満杯となった場合に新規通帳を発行する自動通帳発行装置において、当該発行装置は、前記新規通帳の発行作業を継続して行うか、中断するかを選択可能に表示する表示部と、前記満杯となった通帳を一時退避して保管する一時退避部と、未発行の新規通帳を保管する通帳保管部と、前記通帳の利用者（顧客）を認証するための認証カードを発行するカード発行部を備える構成が記載されている。
【先行技術文献】
【特許文献】
【０００３】
【特許文献１】特開２００３−１６５０３号公報
【発明の概要】
【発明が解決しようとする課題】
【０００４】
前記従来技術によれば、通帳繰り越しの発生後に、新規通帳の発行処理を継続して行うか、一旦中断し、後刻再開するかを装置の利用者である顧客自身が選択することのできる通帳発行装置が記載されている。つまり、従来の通帳発行装置は、満杯となった通帳を一時保管すると共に、未発行の新規通帳を保管し、後刻、新規通帳を当該顧客に返却することが記載されている。しかしながら、この通帳発行装置には、満杯とならない通帳の保管と返却についての配慮がなされていないという課題がある。従って、従来の通帳発行装置によれば、通帳の記帳による待ち時間を解消し、時間外の予約記帳を実現することができないとの課題がある。
【０００５】
本発明は、前記課題を解消するためになされたもので、通帳記帳の待ち時間を解消し、取引時間外における予約記帳を実現することを目的とする。本発明の他の目的は、構成が簡単で、かつ、予約システムの運用が容易な方法を提供することにある。
【課題を解決するための手段】
【０００６】
本発明は、前記課題を解消するために、つぎの手段を採用する。即ち、本発明は、通帳の磁気データを読取り・書込みする磁気部と、印字データの読取り・書込みをする光学部及び印字部とを含む通帳プリンタユニットを備えた自動取引装置による通帳記帳システムであって、挿入された通帳を収納する第１のスタック機構部と、該第１のスタック機構部に収納された通帳の顧客に対して受付番号を記載した受付証を発行する受付証発行部と、前記第１のスタック機構部に収納された通帳の記帳処理を実行する記帳処理部と、記帳処理が実行された通帳を受付番号にしたがって所定の指定位置にて収納する第２のスタック機構部と、入力された受付番号に該当する記帳済み通帳を前記第２のスタック機構部から取り出して該通帳を顧客に返却する通帳返却部と、を具備する。
【０００７】
前記第１及び２のスタック機構部は、複数の通帳を積層して収納するケースと、該ケースの下方から前記通帳を入搬出させる入搬出口と、該入搬出口から搬入された複数の通帳を水平に保持する可動ベースと、を備える。
【０００８】
また、本発明は、通帳の磁気データを読取り・書込みする磁気部と、印字データの読取り・書込みをする光学部及び印字部とを含む通帳プリンタユニットを備えた自動取引装置による通帳記帳システムであって、挿入された通帳を上方から搬入して収納するスタック機構部と、該スタック機構部に収納された通帳の顧客に対して受付番号を記載した受付証を発行する受付証発行部と、前記スタック機構部に収納された通帳の記帳処理を実行する記帳処理部と、記帳処理が実行された通帳を受付番号にしたがって所定の指定位置に収納された記帳済み通帳を前記スタック機構部から取り出して該通帳を顧客に返却する通帳返却部と、を具備する。
【０００９】
前記スタック機構部は、複数の通帳を積層して収納するケースと、該ケースの上方から通帳を搬入させる搬入口と、前記ケースに収納された予約通帳を下方から搬出させる搬出口と、前記搬入口から搬入された複数の通帳を水平に保持する可動ベースとを備える。
【００１０】
さらに、本発明は、通帳の磁気データを読取り・書込みする磁気部と、印字データの読取り・書込みをする光学部及び印字部とを含む通帳プリンタユニットを備えた自動取引装置による通帳記帳方法であって、挿入された通帳を収納し、該収納された通帳の顧客に対して受付番号を記載した受付証を発行し、前記収納された通帳の記帳処理を実行し、入力された受付番号にしたがって前記記帳処理部が実行された通帳を顧客に返却することを特徴とする。
【発明の効果】
【００１１】
本発明は、以上詳述したように、通帳記帳の待ち時間を解消し、取引時間外における予約記帳を実現すると共に、構成が簡単で、かつ、予約システムの運用が容易な方法を提供することができる。
【図面の簡単な説明】
【００１２】
【図１】本発明の実施形態に係る自動取引装置（ＡＴＭ）の概略図である。
【図２】スタック機構部の「収納モード」を示す概略図である。
【図３】スタック機構部の「発行モード」を示す概略図である。
【図４】スタック機構部の「収納モード」及び「発行モード」を示す概略図である。
【図５】スタック機構部の「収納モード」及び「発行モード」を示す概略図である。
【図６】スタック機構部の「収納モード」及び「発行モード」を示す概略図である。
【図７】予約通帳の取引を示すフローチャートである。
【図８】予約通帳の取引を示すフローチャートである。
【図９】予約通帳の取引を示すフローチャートである。
【図１０】スタック機構部の他の例を示す概略図である。
【図１１】スタック機構部の「収納モード」及び「発行モード」を示す概略図である。
【図１２】スタック機構部の「収納モード」及び「発行モード」を示す概略図である。
【図１３】スタック機構部の「収納モード」及び「発行モード」を示す概略図である。
【図１４】予約通帳の取引を示すフローチャートである。
【発明を実施するための形態】
【００１３】
図１は本発明の実施形態に係る自動取引装置（Ａｕｔｏｍａｔｉｃ  Ｔｅｌｌｅｒ  Ｍａｃｈｉｎｅ）における通帳プリンタユニット１の一例を示す。同図において、自動取引装置（ＡＴＭ）の通帳プリンタユニット１は、通帳Ｔの挿入口２、通帳の磁気データを読取り・書込みする磁気部３、通帳の印字データの読取り・書込みをする光学部４及び印字部５、並びに捲り（めくり）部６を含む構成である。
【００１４】
前記磁気部３は、挿入口２から挿入された通帳に設けられている磁気ストライプ（図示せず）の磁気データを読み取って、新たな磁気データの書き込みをする磁気ヘッド（図示せず）を備える。また、前記光学部４は、通帳の印字データの読み取りをする光学センサ（図示せず）を備え、前記印字部５は、光学センサで読み取られた通帳における印字データの取引情報にしたがって、新たな印字データの書き込みをする。さらに、前記捲り部６は、通帳の表紙と裏紙とを見開き状に開放する機構であり、これによって、見開き状に開放された通帳の所定箇所に新たな印字データを書き込むことができる。
【００１５】
また、前記通帳プリンタユニット１は、スタック機構部７、制御部（通信部）８、受付証発行部９、通帳記帳処理部１０、通帳返却部１１、及び通帳搬送路１２を備える。前記スタック機構部７は、通帳の収納および発行をする機能を有する。前記制御部（通信部）８は、ホスト８Ａとの接続部であり、通信回線を通じてホストコンピュータに接続する機能を備える。前記受付証発行部９は、前記スタック機構部７に収納された通帳の顧客に対して受付証（図示せず）を発行する機能を有する。
【００１６】
記帳処理部１０は、予約受付されて前記スタック機構部７に収納された予約通帳に対して記帳処理を実行する機能を有する。前記通帳返却部１１は、顧客の受付番号にしたがって所定の指定位置に順次関連付けられて前記予約通帳を収納して、該予約通帳を顧客に返却する機能を有する。さらに、通帳搬送路１２は、挿入口２から挿入された通帳を前記磁気部３、光学部４及び印字部５、捲り部６、並びに前記スタック機構部７に搬送する機能を有する。
【００１７】
図２は、本発明の実施形態に係る自動取引装置（ＡＴＭ）におけるスタック機構部７の一例を示す。該スタック機構部７は、複数の予約通帳ＹＴを積層して順次収納するケース１３と、該ケースの下方から前記予約通帳を入搬出させる入搬出口１４と、該入搬出口から搬入された複数の通帳を水平に保持する可動ベース１５と、を備えた第１及び第２のスタック７ａ，７ｂから構成されている。
【００１８】
前記ケース１３は、略コ字状に形成されて逆Ｕ字に配置されると共に、その下方に複数の予約通帳ＹＴを水平に保持する可動ベース１５が配置されている。また、前記ケース１３には、予約通帳ＹＴを下方から入搬出させる入搬出口１４が設けられている。なお、１６は積層された複数の予約通帳ＹＴを保持するための重錘である。前記通帳搬送路１２で搬送された通帳Ｔは、分岐搬送路１２ａ，１２ｂに設定された回転ローラ１７、１８（矢印方向へ回転）によって、第１及び第２スタック７ａ，７ｂに搬入されて前記予約通帳ＹＴの「収納モード」を構成する。
【００１９】
他方、図３で示すように、第１及び第２スタック７ａ，７ｂは、前記可動ベース１５を傾斜させることにより、分岐搬送路１２ａ，１２ｂに設定された回転ローラ１７、１８（矢印方向へ回転）によって、内部に積層された複数の予約通帳ＹＴを順次発行する「発行モード」に設定される。
【００２０】
つぎに、上記構成の動作について説明する。顧客は自動取引装置（ＡＴＭ）の画面により、図７に示すフローチャートのステップＳ１において、「予約記帳」ボタンを選択して、該「ボタン」を押下する。前記自動取引装置において、通帳を挿入する旨のガイダンス表示にしたがって、ステップＳ２において、通帳の挿入シャッタを開放し、顧客の通帳挿入待ち状態に遷移する。
【００２１】
ステップＳ３において、顧客が通帳Ｔを挿入すると、ステップＳ４において、該通帳Ｔの磁気データを読み取り、ステップＳ５において、上位装置であるホストコンピュータ８Ａに通信回線を通じて交信し、挿入された通帳の妥当性確認を実施する。ここまでは、一般的な記帳取引と同じ仕組みである。ステップＳ６において、顧客の通帳が有効と判断された場合、ステップＳ７において、該通帳を、図１で示すスタック機構部７における第１スタック７ａに「収納モード」で収納し、ステップＳ８において、顧客に対し、受付日、受付番号、口座番号等を付与した受付証を発行し、ステップＳ９において顧客はこの受付証を受け取ることができる。該受付証は、顧客を認定するためのものであれば、レシートであっても、他の認証カード、暗証カード、取引カード等の何れであってもよい。
【００２２】
つぎに、通帳の記帳取引が有効時間になった時、つまり、金融機関等における通帳記帳の運用時になった以後、図８のステップＳ１０〜ステップＳ１４に示すように、スタック機構部７における第１スタック７ａに収納されている予約通帳ＹＴを、図２で示す「収納モード」から図３で示す「発行モード」に切り替える。即ち、図１の記帳処理部１０において、図８のステップＳ１１〜ステップＳ１４で示すように、一連の通帳記帳処理（第１スタックより通帳発行・通帳の磁気読取り・ホスト通信・未記帳部の印字・ホスト通信後磁気書込み・第２スタックへ通帳収納）を実行する。
【００２３】
前記記帳処理部１０において記帳処理された予約通帳ＹＴは、前記第２スタック７ｂにおいて、図２に示す「収納モード」で順次収納される。つまり、ステップＳ１４において、予約通帳ＹＴは、顧客の受付番号にしたがって、第２スタック７ｂにおける所定の指定位置に順次関連付けられて収納され、後日、記帳が完了した予約通帳ＹＴを自動取引装置（ＡＴＭ）により、図９に示すフローチャートにしたがって、予約した顧客へ返却される。このとき、付加機能として、予めメールアドレス等を登録していた場合、予約通帳が完了した旨のメールを発行し、顧客へのアナウンス機能をつけることも可能である。
【００２４】
後刻、記帳した通帳を自動取引装置（ＡＴＭ）より顧客に返却するには、図９に示すフローチャートのステップＳ１５における「画面操作」に基づいて「予約記帳返却」ボタン押下した後、ステップＳ１６において受付番号を入力させる。図１で示す記帳処理部１０において記帳処理された予約通帳ＹＴは、前記第２スタック７ｂに、図２で示す「収納モード」で順次収納される。つまり、予約通帳ＹＴは、顧客の受付番号にしたがって、第２スタック７ｂにおける所定の指定位置に順次関連付けられて収納され、後日、記帳が完了した予約通帳ＹＴを自動取引装置（ＡＴＭ）により、図９に示すフローチャートのステップＳ１７にしたがって、当該予約した顧客へ返却される。
【００２５】
図４は、第１及び第２スタック７ａ，７ｂにおける「収納モード」の一例を示す。前述の図８に示すフローチャートのステップＳ１０〜ステップＳ１４にしたがって、第１スタック７ａに収納された複数の予約通帳ＹＴ１〜ＹＴ５は順次記帳された後、第２スタック７ｂに「収納モード」で収納されている。
【００２６】
いま、図９に示すフローチャートのステップＳ１６において、顧客の受付番号が入力され、第２スタック７ｂにおける所定の指定位置に順次関連付けられて収納された予約通帳ＹＴ３を自動取引装置（ＡＴＭ）により顧客へ返却される場合、ステップＳ１７で示すように、第２スタック７ｂ内の下方に収納されている予約通帳ＹＴ４及び予約通帳ＹＴ５を図５で示すように矢印Ｘ１、Ｙ１方向へ移動させて、第１スタック７ａ内に収納した後、第２スタック７ｂ内の最下方に位置する予約通帳ＹＴ３を矢印Ｘ１方向へ移動させた後、図９で示すフローチャートのステップＳ１８〜ステップＳ２１で示すように、一連の通帳記帳処理（磁気読取り・通帳ホスト通信・本人照合確認・挿入口に通帳を移動・通帳抜き取り待ち・通帳受け取り）を実行し、ステップＳ２２において、予約した顧客へ予約通帳ＹＴ３が返却される。
【００２７】
また、図５で示す予約通帳ＹＴ５を取り出すには、図６で示すように、予約通帳ＹＴ４を矢印Ｘ２方向へ移動させて、第１スタック７ａ内に収納された予約通帳ＹＴ４を第２スタック７ｂ内の最下方に移動させることにより、第１スタック７ａ内の予約通帳ＹＴ５を取り出すことができる。
【００２８】
図１０は、本発明の実施形態に係る自動取引装置（ＡＴＭ）の他の概略図である。前記実施例において、スタック機構部７は、第１及び第２スタック７ａ，７ｂ２からなる複数のケースを有する構成であったが、前記スタック機構部７は、複数の通帳を積層して収納するケース１３と、該ケースの上方から通帳を搬入させる搬入口１４ｄと、前記ケースに収納された予約通帳を下方から搬出させる搬出口１４ｃと、前記搬入口から搬入された複数の通帳を水平に保持する可動ベース１５とを備え、前記可動ベースを傾斜させることにより、前記ケースの下方から予約通帳を搬出させる構成である。
【００２９】
図１０において、スタック７は「収納モード」の一例を示す。前述の図８に示すフローチャートのステップＳ１０〜ステップＳ１４にしたがって、前記スタック７に収納された複数の予約通帳ＹＴ１〜ＹＴ５は順次記帳された後、スタック７に「収納モード」で収納されている。
【００３０】
いま、記帳した通帳を自動取引装置（ＡＴＭ）より顧客に返却するには、図１４に示すフローチャートのステップＳ１５における「画面操作」に基づいて「予約記帳返却」ボタン押下した後、ステップＳ１６において受付番号を入力させる。図１で示す記帳処理部１０において記帳処理された予約通帳ＹＴは、前記スタック７に、図１０で示す「収納モード」で順次収納される。つまり、予約通帳ＹＴは、顧客の受付番号にしたがって、スタック７における所定の指定位置に順次関連付けられて収納され、後日、記帳が完了した予約通帳ＹＴを自動取引装置（ＡＴＭ）により、図１４に示すフローチャートのステップＳ２３にしたがって、当該予約した顧客へ返却される。
【００３１】
ステップＳ１６において、顧客の受付番号が入力され、スタック７における所定の指定位置に順次関連付けられて収納された予約通帳ＹＴ３を自動取引装置（ＡＴＭ）により顧客へ返却される場合、ステップＳ２３で示すように、スタック７内の下方に収納されている予約通帳ＹＴ４及び予約通帳ＹＴ５を図１１で示すように矢印Ｘ３、Ｙ３方向へ移動させて、スタック７内に収納した後、スタック７内の最下方に位置する予約通帳ＹＴ３を図１２の矢印Ｘ３方向へ移動させ、図１４で示すフローチャートのステップＳ１８〜ステップＳ２１で示すように、一連の通帳記帳処理（磁気読取り・通帳ホスト通信・本人照合確認・挿入口に通帳を移動・通帳抜き取り待ち・通帳受け取り）を実行し、ステップＳ２２において、予約した顧客へ予約通帳ＹＴ３が返却される。
【００３２】
また、図１２で示す予約通帳ＹＴ５を取り出すには、図１３で示すように、予約通帳ＹＴ２、ＹＴ１を矢印Ｘ３、Ｙ３方向へ移動させて、スタック７内に収納された予約通帳ＹＴ５をスタック７内の最下方に移動させることにより、スタック７内の予約通帳ＹＴ５を取り出すことができる。
【符号の説明】
【００３３】
１      通帳プリンタユニット
３      磁気部
４      光学部
５      印字部
７      スタック機構部
７ａ      第１スタック
７ｂ      第２スタック
９      受付証発行部
１０      記帳処理部
１１      通帳返却部
１３      ケース
１４      入搬出口
１５      可動ベース
【図７】
2012208717.tif 000003
【図８】
2012208717.tif 000004
【図９】
2012208717.tif 000005
【図１】
2012208717.tif 000006
【図２】
2012208717.tif 000007
【図３】
2012208717.tif 000008
【図４】
2012208717.tif 000009
【図５】
2012208717.tif 000010
【図６】
2012208717.tif 000011
【図１０】
2012208717.tif 000012
【図１１】
2012208717.tif 000013
【図１２】
2012208717.tif 000014
【図１３】
2012208717.tif 000015
【図１４】
2012208717.tif 000016